(57)【要約】【課題】持ち去られた持ち物の位置を迅速に報知して、発見に要する時間短縮を図る携帯端末装置を得る。【解決手段】指向性の無いアンテナ２１及び指向性を有するアンテナ２２を用いてＩＣタグを検知するＩＣタグ検知部３と、ＩＣタグ検知部３を制御して、操作部５の操作によって設定されたＩＣタグを指向性の無いアンテナ２１を用いて検知させ、ＩＣタグが検知することができなくなったとき指向性を有するアンテナ２２を用いて該検知することができなくなったＩＣタグを走査し該ＩＣタグを検知した方角を表示部６に表示させる制御部４とを備えた。【選択図】図１
2008071152.tif 000002
【特許請求の範囲】
【請求項１】
無線通信によりデータの送受信を行う通信手段と前記通信に応じた表示を行う表示手段とユーザに操作を行わせる操作手段とを備える携帯端末装置において、
指向性の無いアンテナ及び指向性を有するアンテナを用いてＩＣタグを検知するＩＣタグ検知手段と、
前記ＩＣタグ検知手段を制御して、前記操作手段の操作によって設定されたＩＣタグを前記指向性の無いアンテナを用いて検知させ、ＩＣタグが検知することができなくなったとき前記指向性を有するアンテナを用いて該検知することができなくなったＩＣタグを走査し該ＩＣタグを検知した方角を前記表示手段に表示させる制御手段と、
を備えることを特徴とする請求項１記載の携帯端末装置。
【請求項２】
ＩＣタグ検知手段は、指向性の無いアンテナを用いてＩＣタグを検知する第一のＩＣタグ検知手段と、指向性を有するアンテナを用いて前記第一のＩＣタグ検知手段よりも遠距離に存在するＩＣタグを走査／検知する第二のＩＣタグ検知手段とから成り、
制御手段は、前記第一のＩＣタグ検知手段が検知することができないＩＣタグが生じたとき、前記第二のＩＣタグ検知手段を制御して該ＩＣタグを走査することを特徴とする請求項１記載の携帯端末装置。
【請求項３】
ＩＣタグ検知手段は、
指向性の無いアンテナを接続してＩＣタグを検知する動作と、
前記指向性の無いアンテナを用いてＩＣタグが検知することができなくなったとき指向性を有するアンテナを接続して該検知することができなくなったＩＣタグを走査する動作とを、
切り替える切り替え手段を備えることを特徴とする請求項１記載の携帯端末装置。
【請求項４】
指向性を有するアンテナを回動させて向きを変化させる回動手段を備え、
制御手段は、前記回動手段を制御して指向性を有するアンテナを回動させて検知対象のＩＣタグを走査することを特徴とする請求項１から請求項３のうちのいずれか１項記載の携帯端末装置。
【発明の詳細な説明】
【技術分野】
【０００１】
この発明は、ＩＣタグを付設した持ち物の所在を検知する携帯端末装置に関するものである。
【背景技術】
【０００２】
携帯端末装置には、ＩＣタグ等の検知部を備えて一定距離の範囲内にＩＣタグ等を付けた持ち物が存在することを確認するものがある。
例えば、携帯電話機のＢｌｕｅｔｏｏｔｈ（登録商標）モジュールと鞄等の所持品に設置したＢｌｕｅｔｏｏｔｈ（登録商標）受発信モジュールとを通信・通信待機状態にセットし、ｐａｇｉｎｇメッセージの通信を一定間隔で繰り返し、携帯電話機のモジュールが所持品からの応答を受信できなかったとき盗難が発生したと判断して通知動作を行う（例えば、特許文献１参照）。
また、基地局が、携帯端末装置等の移動機から送信された位置登録要求信号を受信して、当該位置登録要求信号によって特定される移動機が盗難登録移動機データベースに登録されているか否かを判断し、盗難登録がなされていることが判明したときには、盗難を示すメッセージ、当該移動機の現在位置をコンソールの表示部に表示するものがある（例えば、特許文献２参照）。
【０００３】
【特許文献１】特開２００２−１８３８６６号公報（第３，４頁、図１，２）
【特許文献２】特開平７−２８８８６２号公報（第３，４頁、図１〜５）
【発明の開示】
【発明が解決しようとする課題】
【０００４】
従来の携帯端末装置は以上のように構成されているので、持ち物が一定の距離以上に当該装置から離れた場合には、持ち物が何処にあるかをユーザ等が探さなければならない。また、盗難によって持ち物が上記の装置から一定の距離以上離れた場合には、広範囲の中を探すことになって、装置から離れたことを検知するだけでは持ち物の発見が困難になる。また、交換局が位置登録要求信号を用いて移動機の位置を特定する構成では、持ち主が盗難に気付いて、盗難にあった移動機をデータベースに登録してから探索が開始されるため、盗難から移動機を発見するまで相当な時間が必要になるという課題があった。
【０００５】
この発明は上記のような課題を解決するためになされたもので、持ち去られた持ち物の位置を迅速に検知し発見に要する時間を短縮する携帯端末装置を得ることを目的とする。
【課題を解決するための手段】
【０００６】
この発明に係る携帯端末装置は、指向性の無いアンテナ及び指向性を有するアンテナを用いてＩＣタグを検知するＩＣタグ検知手段と、ＩＣタグ検知手段を制御して、操作手段の操作によって設定されたＩＣタグを指向性の無いアンテナを用いて検知させ、ＩＣタグが検知することができなくなったとき指向性を有するアンテナを用いて該検知することができなくなったＩＣタグを走査し該ＩＣタグを検知した方角を表示手段に表示させる制御手段とを備えるものである。
【発明の効果】
【０００７】
この発明によれば、ＩＣタグ検知手段を制御して、操作手段の操作によって設定されたＩＣタグを指向性の無いアンテナを用いて検知させ、ＩＣタグが検知することができなくなったとき指向性を有するアンテナを用いて該検知することができなくなったＩＣタグを走査し該ＩＣタグを検知した方角を表示手段に表示させるようにしたので、ＩＣタグを付設した持ち物が存在する方角を報知して発見までの時間を短縮することができるという効果がある。
【発明を実施するための最良の形態】
【０００８】
以下、この発明の実施の一形態を説明する。
実施の形態１．
図１は、この発明の実施の形態１による携帯端末装置の構成を示すブロック図である。実施の形態１による携帯端末装置１は、非接触型のＩＣタグを検知するＩＣタグ検知部３を備え、また図示を省略した例えば通話ならびに各データ通信を行う通信部などを備えている。ＩＣタグ検知部３は、自らの検知動作を制御する制御部４に接続されている。また、制御部４は、ユーザによって操作がなされる操作部５、自らの処理動作に応じてユーザに報知する内容を表示する表示部６、及び、検知動作として警報音を発しユーザに注意を喚起するブザー部７に接続されている。
【０００９】
ＩＣタグ検知部３は、検知対象のＩＣタグを識別するときに用いるＩＣタグ番号を予め記憶させておくＩＣタグ番号記憶部１０、指向性の無いアンテナ２１と接続してＩＣタグの検知処理を行う指向性の無いＩＣタグ検知部１１、及び、指向性を有するアンテナ２２と接続してＩＣタグの検知処理を行う指向性を有するＩＣタグ検知部１２を備えている。指向性を有するアンテナ２２は、電波を送受信することができる方向／範囲が限定されるもので、後述するように制御部４によって動作制御が行われる回動台２８に搭載されている。なお、携帯端末装置１の検知対象である図示されないＩＣタグは、例えばＵＨＦ帯域の電波を用いてデータ等の送受信を行うようにアンテナを含む送受信部ならびにデータを記憶する記憶部などによって構成され、自ら備えているバッテリを電源として動作するものである。
【００１０】
図２は、実施の形態１による携帯端末装置の構成を示す説明図である。この図は、実施の形態１による携帯端末装置１に備えられている各アンテナの配置を示したもので、携帯端末装置１の筐体２０に設置されている指向性の無いアンテナ２１、指向性を有するアンテナ２２、通話ならびにインターネット接続によるデータ通信等に用いる通信用アンテナ２３を示している。指向性の無いアンテナ２１は、図示したように筐体２０の一方の隅に配置／固定されている。指向性を有するアンテナ２２は、筐体２０の他方の隅に配置されている。通信用アンテナ２３は、指向性の無いアンテナ２１ならびに指向性を有するアンテナ２２のどちらとも干渉しないように離間して設置され、図示されない通話などの通信処理を行う回路に接続されている。
【００１１】
図３は、実施の形態１による携帯端末装置の構成を示す説明図である。図１及び図２に示したものと同一部分に同じ符号を使用し、その説明を省略する。前述のように携帯端末装置１の筐体２０に備えられている指向性を有するアンテナ２２は、筐体２０の内部において当該アンテナの向きを変化させることができるように、回動台２８を介して基板２５に設置されている。回動台２８は、例えば図３に示したように二つのサーボモータ２６，２７を備え、サーボモータ２６の駆動によって垂直方向に回動すると共に、サーボモータ２７の駆動によって水平方向に少なくとも３６０度回動するように構成されている。回動台２８に備えられるサーボモータ２６は、水平方向に延設される回動軸２６ａを有し、またサーボモータ２７は垂直方向に延設される回動軸２７ａを有している。また、サーボモータ２６，２７は、各々の回動を制御するように、換言すると指向性を有するアンテナ２２の向きを制御するように、制御部４と配線／接続されている。
【００１２】
次に動作について説明する。
ここでは実施の形態１による携帯端末装置の動作のうち、例えば持ち物に付設されたＩＣタグを検知するときの動作を説明し、他の動作説明を省略する。
図４は、実施の形態１による携帯端末装置の動作を示すフローチャートである。なお、このフローチャートは、図１に示した制御部４による各部の制御動作を示したものである。
初めに携帯端末装置１を起動させて検知対象となるＩＣタグの登録を行う。この登録動作は次のように行われる。ユーザ等によって操作部５が操作され、ＩＣタグの登録要求が行われると、制御部４は、指向性の無いＩＣタグ検知部１１を起動させる（ステップＳＴ１０１）。上記のユーザが登録を所望するＩＣタグ、もしくはＩＣタグを付けた持ち物を携帯端末装置１に接近させ、指向性の無いアンテナ２１を介して指向性の無いＩＣタグ検知部１１が所定の電波を用いた通信を行い、上記のＩＣタグに書き込まれているＩＣタグ番号を読み取る（ステップＳＴ１０２）。制御部４はＩＣタグ検知部３を制御して、指向性の無いＩＣタグ検知部１１が読み取ったＩＣタグ番号をＩＣタグ番号記憶部１０に記憶させ、検知対象のＩＣタグ番号を保存する（ステップＳＴ１０３）。このようにして、ユーザが所望する全てのＩＣタグのＩＣタグ番号をＩＣタグ番号記憶部１０に記憶させておく。
【００１３】
前述のように検知対象のＩＣタグを登録した後、制御部４は、ＩＣタグ検知部３の指向性の無いＩＣタグ検知部１１を制御して指向性の無いアンテナ２１から電波を送出させ、ＩＣタグ番号記憶部１０に登録されている全てのＩＣタグから、換言すると検知対象の持ち物に付設されているＩＣタグから、ＩＣタグ番号の読み取りを行う（ステップＳＴ１０４）。なお、指向性の無いＩＣタグ検知部１１はアンチコリジョン機能を有し、複数のＩＣタグからのＩＣタグ番号を受信するとき、これらのＩＣタグ番号を示す受信データの衝突を防いでいる。また、指向性を有するＩＣタグ検知部１２も、後述するＩＣタグの走査を行うときに障害が発生しないようにアンチコリジョン機能を用いるようにしてもよい。
制御部４は、上記のように指向性の無いＩＣタグ検知部１１を用いて各ＩＣタグからＩＣタグ番号を読み取り、ＩＣタグ番号記憶部１０に記憶されている全てのＩＣタグ番号を確認することができたか否か、即ち、登録ＩＣタグが全て揃っているか否かを判定する（ステップＳＴ１０５）。
【００１４】
図５−１〜図５−３は、実施の形態１による携帯端末装置の動作を示す説明図である。図１〜図３に示したものと同一部分に同じ符号を使用し、その説明を省略する。図５−１に示した範囲Ａは、携帯端末装置１に備えられている指向性の無いＩＣタグ検知部１１がＩＣタグを検知する範囲で、例えば携帯端末装置１から概ね１．５ｍの範囲である。また、持ち物２には上記のＩＣタグが付設されている。図５−２及び図５−３に示した範囲Ｂは、携帯端末装置１に備えられている指向性を有するＩＣタグ検知部１２がＩＣタグを検知する範囲を示したもので、例えば上記の指向性の無いＩＣタグ検知部１１の約三倍、即ち概ね５ｍ離れたＩＣタグと、電波による送受信を行うことができる。なお、指向性を有するアンテナ２２から電波が送出される範囲Ｂは、後述するＩＣタグの走査によって携帯端末装置１の周囲を移動する。
【００１５】
例えば、図５−１の範囲Ａの中にＩＣタグを付けた持ち物２が存在するとき、携帯端末装置１の指向性の無いＩＣタグ検知部１１は、ＩＣタグ番号記憶部１０に記憶されているＩＣタグ番号の中に、上記のＩＣタグから取得したＩＣタグ番号と同一のものが有ることを確認したときには、当該ＩＣタグを付設した持ち物２が一定の距離の範囲内に存在している、即ち盗難などの異常事態が生じていないと判断し、他のＩＣタグ番号についても同様な処理動作を行う。このようにして、検知対象としている全てのＩＣタグ番号を確認することができたとき、即ち登録ＩＣタグが全て揃っている間は、ステップＳＴ１０４の過程に戻って以降の処理過程を繰り返す。なお、上記の指向性の無いＩＣタグ検知部１１を用いたＩＣタグの検知動作は、消費電力を抑制するため適当な時間の間隔を空けて行うようにしてもよい。
【００１６】
ステップＳＴ１０５の過程で、全てのＩＣタグが揃っていないと判定したときには、表示部６を制御して、例えば盗難を報知する表示を行わせ（ステップＳＴ１０６）、また、ブザー部７を制御してブザー鳴動を行わせ(ステップＳＴ１０７)、警報音等を発生させてユーザに報知する。
また制御部４は、指向性の無いＩＣタグ検知部１１に検知されなかったＩＣタグ番号を特定し、当該ＩＣタグ番号を有するＩＣタグの検知／走査を行う。この走査は、指向性を有するＩＣタグ検知部１２を起動させ（ステップＳＴ１０８）、後述するように指向性を有するアンテナ２２の向きを変化させて当該ＩＣタグの走査を行う（ステップＳＴ１０９）。指向性を有するＩＣタグ検知部１２は、指向性を有するアンテナ２２から図５−２に示したビーム状の範囲Ｂに電波を送信し、検知対象のＩＣタグからの応答の有無により制御部４がＩＣタグを付設した持ち物２が範囲Ｂに存在するか否かを判定する。
【００１７】
制御部４は、指向性を有するＩＣタグ検出部１２が検知対象のＩＣタグからの応答、即ちＩＣタグ番号を受信したとき、その検知方角を表示部６に表示させる（ステップＳＴ１１０）。この方角の表示は、例えば図５−３に示したように当該携帯端末装置１を基準として持ち物２を検知した方角、即ち指向性を有するアンテナ２２を向けた方角を指す矢印を表示し、ユーザに持ち物２の存在する位置を報知する。
制御部４は、図５−３に例示したようにＩＣタグを検知した方角を表示させたとき、操作部５の所定のボタンが押下されたか否かを判定する（ステップＳＴ１１１）。上記のボタンが押下されたと判定したときには、ユーザが持ち物２を発見したと判断して検知／走査処理を終了する。ステップＳＴ１１１の過程で、ボタンが押下されていないときには、ユーザが持ち物２を発見していないと判断して、ステップＳＴ１０９の過程に戻り、以降の過程を同様に繰り返す。
このように、携帯端末装置１は自らの周囲に位置する、詳しくは図５−１の範囲Ａのように該装置から一定の距離以内に存在する持ち物２を検知し、持ち物２が上記の一定の距離よりも離れたとき携帯端末装置１の周囲を走査し、持ち物２の方角を特定して表示部６に表示する。
【００１８】
図６は、実施の形態１による携帯端末装置の動作を示すフローチャートである。この図は、指向性を有するＩＣタグ検知部１２によるＩＣタグの検知動作を示すもので、検知動作において前述の範囲Ｂを移動させる、即ち携帯端末装置１の周囲を走査するときの動作処理を示すものである。
前述のように、指向性の無いＩＣタグ検知部１１が検知することができなかったＩＣタグがあるとき、制御部４は、指向性を有するアンテナ２２の向きを制御すると共に指向性を有するＩＣタグ検知部１２を稼動させ、検知されなかったＩＣタグ即ち持ち去られた持ち物２の走査を行う。この走査は、図３の二つの回動軸２６ａ，２７ａを中心軸として指向性を有するアンテナ２２を水平方向と垂直方向に各々回動させ、当該指向性を有するアンテナ２２の向きを変化させることによって行われる。
【００１９】
制御部４は、図４のステップＳＴ１０８の過程からステップＳＴ１１１の過程において図８に示したように各部を制御する。指向性の無いＩＣタグ検知部１１が検知することのできなかったＩＣタグ番号を特定すると、指向性を有するＩＣタグ検知部１２の検知方向を予め設定されている初期値に設定する(ステップＳＴ２０１)。具体的にはサーボモータ２６，２７を制御して指向性を有するアンテナ２２を、初期値として設定されている方向へ向ける。
この後、制御部４は、図３に示したサーボモータ２７を回動させ、回動台２８に搭載されている指向性を有するアンテナ２２をいずれかの方向に回転させ、指向性を有するＩＣタグ検知部１２の周囲、もしくは携帯端末装置１の筐体２０の周囲を例えば水平方向に３６０度走査する（ステップＳＴ２０２）。なお、このときサーボモータ２６を停止状態として指向性を有するアンテナ２２の垂直方向の向きを一定として上記の周囲３６０度の走査を行う。
【００２０】
制御部４は、この走査によって検知対象のＩＣタグを発見したか否かを判定する（ステップＳＴ２０３）。盗難されたＩＣタグ、即ち持ち去られた持ち物２の位置が検知されたときには、前述のように表示等の処理動作を行い、指向性を有するＩＣタグ検知部１２による検知動作を終了する。なお、指向性を有するＩＣタグ検知部１２による検知動作の終了は、前述のように操作部５のボタン操作の有無によって判定される。
ステップＳＴ２０３の過程で、ＩＣタグを発見することができなかったときには、指向性を有するＩＣタグ検知部１２、詳しくは図３のサーボモータ２６を回動させて指向性を有するアンテナ２２を傾け（ステップＳＴ２０４）、前述のステップＳＴ２０２の過程に戻り、同様な処理動作を行う。
【００２１】
図７は、実施の形態１による携帯端末装置の動作を示す説明図である。図５−２、図５−３等に示したものと同一部分に同じ符号を使用し、その説明を省略する。
例えば、図７に示した方向Ｄ１に電波を送出するように指向性を有するアンテナ２２を向け、前述のステップＳＴ２０２の過程として、サーボモータ２７を駆動して回動台２８を３６０度回動させる。この回動によって図５−２及び図５−３に示した範囲Ｂが移動し、検知対象のＩＣタグの走査が行われる。詳しくは、図７に示したＣＣ’軸を中心として携帯端末装置１の周囲３６０度の走査が行われる。
前述のステップＳＴ２０３の過程として、この走査によってＩＣタグが検知されなかったと判定したとき、ステップＳＴ２０４の過程として、制御部４は、サーボモータ２６を駆動して指向性を有するアンテナ２２を図３において垂直方向に回動させ、方向Ｄ１に対して角度θを成す方向Ｄ２に当該指向性を有するアンテナ２２を向け、この角度θを保つように支持する。この後、前述のようにステップＳＴ２０２の過程を処理し、以降の各過程を前述のように繰り返し処理する。なお、サーボモータ２７を駆動して繰り返し走査を行うとき、指向性を有するアンテナ２２の垂直方向の向きを逐次変更し、上記の角度θを変化させていく。
【００２２】
図８は、実施の形態１による携帯端末装置の他の構成を示すブロック図である。図１等に示したものと同一あるいは相当する部分に同じ符号を使用し、その説明を省略する。図８に示した携帯端末装置のＩＣタグ検知部３は、指向性の無いアンテナ２１及び指向性を有するアンテナ２２を用いてＩＣタグを検知／走査する、即ち図１の指向性の無いＩＣタグ検知部１１と同様な検知動作機能及び指向性を有するＩＣタグ検知部１２と同様な検知動作機能を有するＩＣタグ検知処理部３０を備えたものである。なお、上記のＩＣタグ検知部３は、図１に示したものと同様にＩＣタグ番号記憶部１０も備えている。
【００２３】
ＩＣタグ検知処理部３０は、指向性の無いアンテナ２１と指向性を有するアンテナ２２との接続を切り替えて動作するように構成されたもので、これらのアンテナとの接続を切り替えると共に、上記の指向性の無いＩＣタグ検知部１１の検知動作機能と指向性を有するＩＣタグ検知部１２の検知動作機能とを切り替える切り替え部３０ａを備えている。
このように構成したときも、制御部４は、前述の説明と同様に操作部５になされた操作に応じてＩＣタグ検知部３、表示部６、ブザー部７、及び、回動台２８の動作制御を行い、また同様なＩＣタグの検知動作を行う。
【００２４】
以上のように実施の形態１によれば、指向性の無いアンテナ２１を用いてＩＣタグの検知を行う指向性の無いＩＣタグ検知部１１と、指向性を有するアンテナ２２を用いてＩＣタグを走査する指向性を有するＩＣタグ検知部１２とを備え、制御部４が、指向性の無いＩＣタグ検知部１１が検知できなくなったＩＣタグを、指向性を有するＩＣタグ検知部１２を用いて走査し、検知した方角を表示部６に表示させるようにしたので、指向性の無いＩＣタグ検知部１１が検知を行っている範囲ＡからＩＣタグを付設した持ち物２が持ち去れたとき、指向性を有するＩＣタグ検知部１２によって持ち物２の方角を迅速に報知することができ、速やかに持ち物２を発見することができるという効果がある。
【図面の簡単な説明】
【００２５】
【図１】この発明の実施の形態１による携帯端末装置の構成を示すブロック図である。
【図２】実施の形態１による携帯端末装置の構成を示す説明図である。
【図３】実施の形態１による携帯端末装置の構成を示す説明図である。
【図４】実施の形態１による携帯端末装置の動作を示すフローチャートである。
【図５−１】実施の形態１による携帯端末装置の動作を示す説明図である。
【図５−２】実施の形態１による携帯端末装置の動作を示す説明図である。
【図５−３】実施の形態１による携帯端末装置の動作を示す説明図である。
【図６】実施の形態１による携帯端末装置の動作を示すフローチャートである。
【図７】実施の形態１による携帯端末装置の動作を示す説明図である。
【図８】実施の形態１による携帯端末装置の他の構成を示すブロック図である。
【符号の説明】
【００２６】
１  携帯端末装置、２  持ち物、３  ＩＣタグ検知部、４  制御部、５  操作部、６  表示部、７  ブザー部、１０  ＩＣタグ番号記憶部、１１  指向性の無いＩＣタグ検知部、１２  指向性を有するＩＣタグ検知部、２０  筐体、２１  指向性の無いアンテナ、２２  指向性を有するアンテナ、２３  通信用アンテナ、２５  基板、２６，２７  サーボモータ、２６ａ，２７ａ  回動軸、２８  回動台、３０  ＩＣタグ検知処理部、３０ａ  切り替え部。
【図１】
2008071152.tif 000003
【図２】
2008071152.tif 000004
【図３】
2008071152.tif 000005
【図４】
2008071152.tif 000006
【図５−１】
2008071152.tif 000007
【図５−２】
2008071152.tif 000008
【図５−３】
2008071152.tif 000009
【図６】
2008071152.tif 000010
【図７】
2008071152.tif 000011
【図８】
2008071152.tif 000012